(57)【要約】【課題】各種電子機器の操作パネル部分を構成するパネルスイッチ用の可動接点体及びそれを用いて構成したパネルスイッチに関し、可動接点の粘着保持状態が従来のものとほぼ同等で、しかも可動接点の動作時に接着剤パターンの形成部位からの空気の流通がスムーズになされるものを提供する。【解決手段】可動接点１１をベースシート１２に粘着保持させるための粘着剤１３の形成パターンを、一つの円形リングの円周を均等に四分割する円弧部１３Ａとして設け、粘着剤１３の非形成部分としてなる四つの直線部１４が可動接点１１の中心から均等角度位置に放射状で配される構成とした。これにより、可動接点１１の保持状態が従来のものとほぼ同等で、かつ可動接点１１の動作時に、各直線部１４を介して空気の流通がスムーズになされるものが得られる。【選択図】図１
2006216290.tif 000002
【特許請求の範囲】
【請求項１】
下面に粘着剤を備えた絶縁フィルム製のベースシートと、下方開口のドーム状に形成され、そのドーム状部の上面側が上記粘着剤で粘着されて上記ベースシートに保持された弾性金属板製の可動接点とからなり、その可動接点のドーム状部を粘着させる粘着剤が、一つの円形リングの円周を均等角度で分割する複数の円弧部のパターンで構成された可動接点体。
【請求項２】
請求項１記載の可動接点体を用い、上面に外側固定接点と中央固定接点とを一組とする固定接点が配設された配線基板に対し、上記可動接点体における可動接点の外周下端が、対応する上記外側固定接点上に載るように位置合わせされてベースシート下面の粘着剤により上記可動接点体を上記配線基板上に粘着保持させて構成したパネルスイッチ。
【発明の詳細な説明】
【技術分野】
【０００１】
本発明は、各種電子機器の操作パネル部分を構成するパネルスイッチ用の可動接点体及びそれを用いて構成したパネルスイッチに関するものである。
【背景技術】
【０００２】
近年、携帯電話、ＰＤＡなどの携帯用電子機器は、その操作部分に可動接点体を用いたパネルスイッチで構成したものが多く普及している。以下に、従来の可動接点体及びそれを用いて構成したパネルスイッチにつき図面を用いて説明する。
【０００３】
図５は従来の可動接点体の断面図、図６は同分解斜視図、図７は同要部である可動接点の配置位置におけるベースシートの粘着剤の形成状態を示す部分的な下面図、図８は同可動接点体を用いて構成したパネルスイッチの断面図である。
【０００４】
図５及び図６において、１は、下方開口となる上方凸形のドーム状で、外形が円形に形成された弾性金属薄板製の可動接点である。そのドーム状部１Ａの中央位置には貫通孔１Ｂが設けられている。
【０００５】
そして、２は、ＰＥＴ等の絶縁フィルム製のベースシートであり、上記可動接点１のそれぞれは、各ドーム状部１Ａの上面側が、ベースシート２下面に形成された粘着剤３で粘着保持されて所定位置に配置されている。図７は、その可動接点１の粘着保持部分にあたる粘着剤３の形成状態を示したものであり、判り易くするために、同図中では粘着剤３の形成部分に斜線を付して示している。
【０００６】
そして、図７に示すように、可動接点１の粘着保持部分にあたる粘着剤３は、個々に独立状態で形成された円形リング部３Ａで構成されており、図５に示すように、可動接点１は、上記円形リング部３Ａで、ドーム状部１Ａの上面部分を粘着されてベースシート２に保持されている。また、その円形リング部３Ａから外方側に所定間隔をあけて粘着剤３の周囲部３Ｂが構成されており、この周囲部３Ｂはベースシート２下面のほぼ全面に亘って形成されている。
【０００７】
なお、上記円形リング部３Ａの代わりに、図９に示すように、円形リングの内外を繋ぐ粘着剤３の非形成部分を有するＣ字状部３Ｃとすることもある。
【０００８】
従来の可動接点体は、以上のように構成され、その使用状態としては、図８に示すように、上面に外側固定接点４Ａと中央固定接点４Ｂとを一組とした固定接点４が上記可動接点体の各可動接点１に対応する位置のそれぞれに配設された配線基板５上に、上記各可動接点１の外周下端１Ｃが上記各外側固定接点４Ａに載るように位置合わせされて、ベースシート２下面の粘着剤３における周囲部３Ｂで貼り合わせて使用される。その使用状態では、各外側固定接点４Ａは、対応する各可動接点１と導通状態となり、かつ各可動接点１のドーム状部１Ａ下面は、対応する各中央固定接点４Ｂと間隔を空けて対峙した状態となる。
【０００９】
上記構成とすることにより、上記ベースシート２下面に配置された複数の可動接点１位置のそれぞれで単体のスイッチが構成され、全体としてはパネルスイッチとして構成される。そして、そのパネルスイッチの上方位置には、各可動接点１への押圧操作を行うためにゴム製の操作ボタン６が配される。
【００１０】
なお、上記可動接点体は、輸送・保管時に、可動接点１や粘着剤３を塵埃などから保護するため、通常、ベースシート２の下面全体を絶縁フィルム製の保護シートで覆った形態とし、上記配線基板５上への貼り合わせ時に、その保護シートを取り除くようにしている。
【００１１】
そして、上記パネルスイッチの単体スイッチの動作としては、電子機器の操作ボタン６により、ベースシート２を介して可動接点１のドーム状部１Ａを上方から押し下げると、可動接点１のドーム状部１Ａが節度感を伴って反転動作してその下面が下方の中央固定接点４Ｂに当接し、外側固定接点４Ａと中央固定接点４Ｂとの間が電気的に導通状態となる。なお、その際、可動接点１の貫通孔１Ｂ端部が中央固定接点４Ｂに局所的な圧接状態となるため、安定したスイッチオン状態となる。
【００１２】
そして、その押圧力を解除すると、可動接点１は、ドーム状部１Ａが節度感を伴いつつ元の上方凸形の形状に自己復元して、ドーム状部１Ａ下面が中央固定接点４Ｂから離れると共に操作ボタン６を上方に押し戻す。これにより、外側固定接点４Ａと中央固定接点４Ｂとの間が電気的独立状態である図８に示す元のスイッチオフ状態に戻るものであった。
【００１３】
なお、この出願の発明に関連する先行技術文献情報としては、例えば、特許文献１、特許文献２が知られている。
【特許文献１】特開２００３−２１７３９１号公報
【特許文献２】特開２００２−２０３４５４号公報
【発明の開示】
【発明が解決しようとする課題】
【００１４】
しかしながら、上記従来の可動接点体及びそれを用いて構成したパネルスイッチは、繰り返して押し下げられる機器の操作部を構成することとなるため、ベースシートへの可動接点の保持安定性が要望され、可動接点１を円形リング部３Ａでベースシート２に粘着保持させたものは、その粘着保持状態が安定的で上記要望に応じていたが、円形リング部３Ａによって貫通孔１Ｂ周囲が囲まれてしまうので、可動接点１の動作時に、ドーム状部１Ａ内からの空気の流通が円形リング部３Ａで妨げられるという課題があった。
【００１５】
それを解決するために、図９に示したようにＣ字状部３Ｃで可動接点１をベースシート２に粘着保持させ、その可動接点１の保持位置にあたるＣ字状部３Ｃの開口部分から空気の流通を図るものも提案されていたが、この構成のものは、可動接点１の動作時に、一ヵ所の上記開口部分に空気が集中してしまうため、空気の流通がスムーズになされないこともあった。また、その他粘着剤を全体的に点状パターンで形成して可動接点の動作時などに空気の流通が図れるものも提案されてはいるが、ベースシートへの可動接点の保持安定性の面からすると、上記に詳述したいずれかの構成のものが優れていた。
【００１６】
本発明は、このような従来の課題を解決するものであり、可動接点の粘着保持状態が従来の円形リング部で形成された粘着剤パターンのものとほぼ同等で、しかも可動接点の動作時に可動接点を粘着保持している粘着剤パターンの形成部位からの空気の流通がスムーズになされる可動接点体及びそれを用いて構成したパネルスイッチを提供することを目的とする。
【課題を解決するための手段】
【００１７】
上記目的を達成するために本発明は、以下の構成を有するものである。
【００１８】
本発明の請求項１に記載の発明は、下面に粘着剤を備えた絶縁フィルム製のベースシートと、下方開口のドーム状に形成され、そのドーム状部の上面側が上記粘着剤で粘着されて上記ベースシートに保持された弾性金属板製の可動接点とからなり、その可動接点のドーム状部を粘着させる粘着剤が、一つの円形リングの円周を均等角度で分割する複数の円弧部のパターンで構成された可動接点体である。
【００１９】
この構成であれば、可動接点を保持させるための粘着剤パターンの隣り合う円弧部どうしの間に、接着剤の非形成部分が均等角度位置で構成されたものにでき、可動接点の動作時には、上記粘着剤の非形成部分それぞれを介して空気がスムーズに流通すると共に、可動接点のベースシートへの粘着保持状態としても従来の円形リング部で形成された粘着剤パターンのものより大きく低下せずにほぼ同等のものにできるという作用を有する。
【００２０】
本発明の請求項２に記載の発明は、請求項１記載の可動接点体を用い、上面に外側固定接点と中央固定接点とを一組とする固定接点が配設された配線基板に対し、上記可動接点体における可動接点の外周下端が、対応する上記外側固定接点上に載るように位置合わせされてベースシート下面の粘着剤により上記可動接点体を上記配線基板上に粘着保持させて構成したパネルスイッチであり、動作時に空気の影響度合いの少ない当該可動接点体を用いたものであるため、良好な操作感触が得られるパネルスイッチにできるという作用を有する。
【発明の効果】
【００２１】
以上のように本発明によれば、ベースシートと可動接点のドーム状部との間に形成された粘着剤パターンを、一つの円形リングの円周を均等角度で分割する複数の円弧部のパターンで構成するようにしたため、可動接点の粘着保持状態が従来の円形リング部で形成された粘着剤パターンのものとほぼ同等で、しかも可動接点の動作時に、その粘着剤パターンの形成部位からの空気の流通がスムーズになされる可動接点体及びそれを用いて構成したパネルスイッチを提供することができるという有利な効果が得られる。
【発明を実施するための最良の形態】
【００２２】
以下、本発明の実施の形態について、図１〜図４を用いて説明する。
【００２３】
（実施の形態）
図１は本発明の一実施の形態による可動接点体の断面図、図２は同分解斜視図、図３は同要部である可動接点の配置位置におけるベースシートの粘着剤の形成状態を示す部分的な下面図である。なお、図１は、図３に示すＰ−Ｐ線における位置での当該可動接点体の断面状態を示したものである。
【００２４】
同図において、１１は弾性金属薄板からなる可動接点で、従来同様に、その外形は円形で、かつ下方開口となる上方凸形のドーム状に形成されている。また、そのドーム状部１１Ａの中央位置には円形の貫通孔１１Ｂが設けられている。
【００２５】
そして、１２は、ＰＥＴなどの絶縁フィルム製のベースシートで、その下面には粘着剤１３が印刷塗布されている。図３は、ベースシート１２において可動接点１１の粘着保持部分にあたる粘着剤１３の形成状態を示したものであり、従来同様に同図中では粘着剤１３の形成部分に斜線を付して示す。
【００２６】
そして、図３からも判るように、可動接点１１の粘着保持部分にあたる粘着剤１３の形成パターンは、一つの円形リングの円周を均等角度で分割する四個の円弧部１３Ａで構成されている。その隣り合う円弧部１３Ａどうしの間は、粘着剤１３が形成されていない直線部１４として構成され、各直線部１４は、空気の流通が図れる同一幅で、しかも、各直線部１４どうしが、直交位置関係に配されるよう各円弧部１３Ａは形成されている。
【００２７】
また、上記各円弧部１３Ａを繋いで構成される上記一つの円形リングに対し、所定間隔をあけてその外方側に粘着剤１３の周囲部１３Ｂがベースシート１２下面のほぼ全面に亘るように形成されている。
【００２８】
そして、上記可動接点１１は、貫通孔１１Ｂの中心位置と上記一つの円形リングの中央位置とを合わせ込むようにして、図１に示すように、ドーム状部１１Ａの上面部分が、ベースシート１２下面に形成された粘着剤１３の各円弧部１３Ａによって粘着保持されている。なお、その粘着保持状態としては、従来の円形リング部によるものに対して保持力が大きく低下することもなくほぼ同等の安定したものとなる。
【００２９】
なお、可動接点１１の配置位置は、使用される機器に応じて設定され、例えば図２に示したものは携帯電話用の配置状態に対応するものである。
【００３０】
本発明による可動接点体は、以上のように構成され、その使用状態としては、図４の断面図に示すように、当該可動接点体を、対応する固定接点４（４Ａ，４Ｂ）が上面に配設された配線基板５上に位置合わせし、ベースシート１２の下面に形成した粘着剤１３の周囲部１３Ｂで貼り付け装着してパネルスイッチとして使用する。その装着状態では、上記各可動接点１１は、外周下端１１Ｃが対応する各外側固定接点４Ａ上に載り、各ドーム状部１１Ａ下面が、対応する各中央固定接点４Ｂと間隔を空けて対峙した単体のスイッチにそれぞれ構成され、その上方位置に上記の各単体スイッチを押圧操作するための操作ボタン６が配される。
【００３１】
なお、当該可動接点体においても、可動接点１１や粘着剤１３を塵埃などから保護するため、輸送・保管時には、ベースシート１２の下面全体を絶縁フィルム製の保護シートで覆った形態とし、上記配線基板５上への貼り合わせ時に、その保護シートを取り除くようにしている。
【００３２】
そして、そのパネルスイッチにおける単体スイッチの動作としては、電子機器の操作ボタン６を押下操作すると、操作ボタン６の下方への移動に伴って可動接点１１のドーム状部１１Ａの中央部が押し下げられていく。
【００３３】
そして、上記押し下げ力が所定の大きさを越えると、可動接点１１は節度感を伴って反転動作し、ドーム状部１１Ａの下面が、対応する中央固定接点４Ｂに当接する。これにより、可動接点１１を介して外側固定接点４Ａと中央固定接点４Ｂとが導通したスイッチオン状態となる。
【００３４】
このときに、ドーム状部１１Ａ内の空気が圧縮されていくが、当該構成のものは、ベースシート１２における可動接点１１の粘着保持部分からの空気の流通がスムーズになされ、その影響度合いが少ないものとなる。
【００３５】
つまり、可動接点１１を保持している粘着剤１３のパターンは、上述したように、一つの円形リングの円周を均等角度で分割する四個の円弧部１３Ａからなり、隣り合う各円弧部１３Ａどうしの間の粘着剤１３の非形成部分としてなる四つの直線部１４は、可動接点１１の中心位置から互いに直交関係で可動接点１１中心から放射状に延びているため、可動接点１１の動作時に、貫通孔１１Ｂを介してドーム状部１１Ａの上面側に移動した空気が、上記四つの直線部１４を介して可動接点１１の外方側に均等的に流通するためである。これにより、空気の影響度合いが軽減でき、良好な節度感触が得られるものとなる。
【００３６】
そして、操作ボタン６への押圧力を除くと、可動接点１１は、ドーム状部１１Ａが節度感を伴いつつ元の上方凸形の形状に自己復元して、ドーム状部１１Ａ下面が中央固定接点４Ｂから離れると共に操作ボタン６を上方に押し戻し、外側固定接点４Ａと中央固定接点４Ｂとの間が電気的独立状態である図４のスイッチオフ状態に戻る。このときにも、ベースシート１２における可動接点１１の粘着保持部分の空気の流通状態は、均等角度で配してある複数の直線部１４を介してスムーズになされる。
【００３７】
以上のように、本発明による可動接点体及びそれを用いたパネルスイッチは、従来のものと比べて可動接点１１の粘着保持状態がほぼ同等で、しかもその可動接点１１を粘着保持している部位からの空気の流通がスムーズなものにできる。
【００３８】
なお、上記には円弧部１３Ａを四個で構成したものを説明したが、可動接点１１の保持安定性を考慮しつつ、例えば、一つの円形リングの円周を二分割するもの、三分割するものまたはそれ以外の数で設定してもよく、可動接点１１に対し粘着剤の非形成部分が均等角度位置に配されたものは本発明の範疇に入る。
【００３９】
また、各直線部１４の幅は、同一幅とすることが好ましいが、これに限られることはない。さらには、可動接点として貫通孔を備えていないものを用いてもよく、この場合でも同様に可動接点の頂点部近傍位置における空気の流通がスムーズになされるものにできて好ましい。
【産業上の利用可能性】
【００４０】
本発明による可動接点体及びそれを用いて構成したパネルスイッチは、ベースシートと可動接点のドーム状部との間に形成された粘着剤のパターンを、一つの円形リングの円周を均等角度で分割する複数の円弧部で構成したため、可動接点の粘着保持状態が従来のものとほぼ同等で、しかも可動接点の動作時に上記粘着剤パターンの形成部位からの空気の流通がスムーズになされるものにできるという特徴を有し、各種電子機器における操作パネル用のパネルスイッチ等に有用である。
【図面の簡単な説明】
【００４１】
【図１】本発明の一実施の形態による可動接点体の断面図
【図２】同分解斜視図
【図３】同要部である可動接点の配置位置におけるベースシートの粘着剤の形成状態を示す部分的な下面図
【図４】同可動接点体を用いて構成したパネルスイッチの断面図
【図５】従来の可動接点体の断面図
【図６】同分解斜視図
【図７】同要部である可動接点の配置位置におけるベースシートの粘着剤の形成状態を示す部分的な下面図
【図８】同可動接点体を用いて構成したパネルスイッチの断面図
【図９】同要部である可動接点の配置位置におけるベースシートの粘着剤の他の形成状態を示す部分的な下面図
【符号の説明】
【００４２】
４  固定接点
４Ａ  外側固定接点
４Ｂ  中央固定接点
５  配線基板
６  操作ボタン
１１  可動接点
１１Ａ  ドーム状部
１１Ｂ  貫通孔
１１Ｃ  外周下端
１２  ベースシート
１３  粘着剤
１３Ａ  円弧部
１３Ｂ  周囲部
１４  直線部
【図１】
2006216290.tif 000003
【図２】
2006216290.tif 000004
【図３】
2006216290.tif 000005
【図４】
2006216290.tif 000006
【図５】
2006216290.tif 000007
【図６】
2006216290.tif 000008
【図７】
2006216290.tif 000009
【図８】
2006216290.tif 000010
【図９】
2006216290.tif 000011